(57)【特許請求の範囲】
【請求項１】
水平方向に形成されるツマミ・ミシン目作成用溝と、当該ツマミ・ミシン目作成用溝の下側に水平方向に形成されるカットのみ用溝とにより構成される切替溝が形成された側板と、
一端にセロハンテープ本体が装着されるテープ取付部と、他端に、先端面にテープ接着面を備えるとともに当該テープ接着面近傍に刃体稼働用溝が形成される刃体支持部と、当該テープ取付部と当該刃体支持部とを連結する連結部とにより構成され、前記側板に対して揺動自在に組み付けられる第１リンクと、
ミシン目作成刃が取り付けられ、前記刃体稼働用溝に上下動自在に組み付けられる刃体取付台と、
一端にテープカット刃が取り付けられ、他端に接続リンクを介して前記第１リンクに連結される長辺部と、刃体取付リンクを介して前記刃体取付台に連結される短辺部とにより構成され、前記側板に対して揺動自在に組み付けられる第２リンクと、
前記切替溝内に移動自在に組み込まれる切替シャフトとを有し、
前記切替シャフトが前記ツマミ・ミシン目作成用溝に挿入されている場合において、セロハンテープの先端を把持して引き出したとき、前記第１リンクの前記連結部が前記切替シャフトに当接する位置まで前記第１リンクが持ち上げられて、前記第２リンクの前記長辺部が前記刃体支持部から離れる方向に傾くとともに、前記刃体取付台が上側に移動することにより、前記ミシン目作成刃が引き出されたセロハンテープに突き刺さる位置まで突出して出現し、引き出したセロハンテープを前記テープカット刃方向に下降させることにより、セロハンテープ中腹部が前記テープ接着面に接着した状態でセロハンテープが所望の長さで切断されるとともに、セロハンテープ中腹部に前記ミシン目作成刃が突き刺さってミシン目状の切欠きが形成されることを特徴とするテープカッター。
【請求項２】
前記切替溝は、前記ツマミ・ミシン目作成用溝と前記カットのみ用溝との間に水平方向に形成されるツマミ作成用溝を有し、前記切替シャフトが前記ツマミ作成用溝に挿入されている場合において、セロハンテープの先端を把持して引き出したとき、前記第１リンクの前記連結部が前記切替シャフトに当接する位置まで前記第１リンクが持ち上げられて、前記第２リンクの前記長辺部が前記刃体支持部から離れる方向に傾く一方、前記刃体取付台は前記ミシン目作成刃が引き出されたセロハンテープに突き刺さる位置まで突出移動しないことを特徴とする請求項１記載のテープカッター。
【発明の詳細な説明】
【技術分野】
【０００１】
本発明は、セロハンテープを切断する際に利用するテープカッターに関するものである。
【背景技術】
【０００２】
一般的にセロハンテープを利用する際は、テープの端を引っ張って任意の長さに切断して利用する。テープを切断する方法として、手で割く、ハサミやカッターを利用するといった方法や、カッター付きのテープホルダにセロハンテープを装着してテープの端を指でつまみ、テープを必要な分だけ引き出して付属のカッターで切断するという方法もある。
【０００３】
粘着テープの片面ないし両面には粘着剤が塗布されているため、これを指でつまむと指の指紋が粘着面に付着してしまう場合がある。粘着面に指紋が付着すると、指紋に含まれる油脂成分によって粘着力が低下してしまう他、見た目が汚くなってしまい美観性に欠けるといった問題が生じる。そこで粘着テープの端部にツマミを形成することにより、指紋が粘着面に付着するのを防ぐテープカッターに関する技術が開示されている（例えば、特許文献１）。
【０００４】
特許文献１は、切断刃３２１と仮着受部３２２とが先端に形成された可動カッター部３２を備えるテープカッターであって、所望の長さに引き出した粘着テープを切断刃３２１で切断すると、テープローラ本体側の粘着テープ端部が仮着受部３２２に付着するとともに、可動カッター部３２がバネ力によりテープホルダ起立部側に押し戻されることにより、粘着テープ先端にループ状のものが形成されるという技術を開示するものである。使用者は、次回使用時に、このループ状のものをつまむことにより、テープ先端にツマミ（剥離タブ）が形成されるので、このツマミをつかんで粘着テープを引き出して切断することにより、テープ粘着面に指紋が付着することを回避することができるものとされている。
【先行技術文献】
【特許文献】
【０００５】
【特許文献１】特開２００４−２８４６８７号公報
【発明の概要】
【発明が解決しようとする課題】
【０００６】
特許文献１に開示される技術によれば、切断されたテープの一端部にはツマミが形成されたままとなる。そのため、テープを対象物に接着させる際に指紋が付着することを防ぐことができるとしても、接着させた後もツマミが残ったままとなるため、見た目を損なう、貼付対象物を利用する際にツマミが邪魔になる、テープが剥がれてしまうといった問題が挙げられる。この問題を回避するため、ツマミを除去することが考えられるが、ハサミやテープカッターを利用すると対象物を傷つけるおそれがあり、新たにハサミやテープカッターを用意してツマミを除去することは手間がかかる。
【０００７】
また、粘着テープの利用用途は様々であり、指紋が付着することを気にせずに利用する場合、ツマミを残しておきたい場合などがあるが、特許文献１に開示される技術によれば、常にツマミが形成されてしまうため、様々な用途に対応することができない。
【０００８】
そこで、本発明は、ツマミを形成することなくテープを使用したい場合、ツマミを形成したうえで貼付後にツマミを除去せずに使用したい場合、ツマミを形成したうえで貼付後にツマミを除去したい場合のいずれの用途にも対応することが可能なテープカッターを開示することを目的とする。
【課題を解決するための手段】
【０００９】  請求項１記載のテープカッターは、水平方向に形成されるツマミ・ミシン目作成用溝と、当該ツマミ・ミシン目作成用溝の下側に水平方向に形成されるカットのみ用溝とにより構成される切替溝が形成された側板と、一端にセロハンテープ本体が装着されるテープ取付部と、他端に、先端面にテープ接着面を備えるとともに当該テープ接着面近傍に刃体稼働用溝が形成される刃体支持部と、当該テープ取付部と当該刃体支持部とを連結する連結部とにより構成され、前記側板に対して揺動自在に組み付けられる第１リンクと、ミシン目作成刃が取り付けられ、前記刃体稼働用溝に上下動自在に組み付けられる刃体取付台と、一端にテープカット刃が取り付けられ、他端に接続リンクを介して前記第１リンクに連結される長辺部と、刃体取付リンクを介して前記刃体取付台に連結される短辺部とにより構成され、前記側板に対して揺動自在に組み付けられる第２リンクと、前記切替溝内に移動自在に組み込まれる切替シャフトとを有し、前記切替シャフトが前記ツマミ・ミシン目作成用溝に挿入されている場合において、セロハンテープの先端を把持して引き出したとき、前記第１リンクの前記連結部が前記切替シャフトに当接する位置まで前記第１リンクが持ち上げられて、前記第２リンクの前記長辺部が前記刃体支持部から離れる方向に傾くとともに、前記刃体取付台が上側に移動することにより、前記ミシン目作成刃が引き出されたセロハンテープに突き刺さる位置まで突出して出現し、引き出したセロハンテープを前記テープカット刃方向に下降させることにより、セロハンテープ中腹部が前記テープ接着面に接着した状態でセロハンテープが所望の長さで切断されるとともに、セロハンテープ中腹部に前記ミシン目作成刃が突き刺さってミシン目状の切欠きが形成されることを特徴とする。【００１０】
請求項２記載のテープカッターは、前記切替溝は、前記ツマミ・ミシン目作成用溝と前記カットのみ用溝との間に水平方向に形成されるツマミ作成用溝を有し、前記切替シャフトが前記ツマミ作成用溝に挿入されている場合において、セロハンテープの先端を把持して引き出したとき、前記第１リンクの前記連結部が前記切替シャフトに当接する位置まで前記第１リンクが持ち上げられて、前記第２リンクの前記長辺部が前記刃体支持部から離れる方向に傾く一方、前記刃体取付台は前記ミシン目作成刃が引き出されたセロハンテープに突き刺さる位置まで突出移動しないことを特徴とする。
【発明の効果】
【００１１】
請求項１記載の発明によれば、ツマミを形成することなくテープを使用したい場合、および、ツマミを形成したうえで貼付後にツマミを除去したい場合のいずれの用途にも対応することができ、更に、請求項２記載の発明によれば、ツマミを形成したうえで貼付後にツマミを除去せずに使用したい場合にも対応することができる。いずれの場合においても、予め用途に合わせて切替シャフトを操作しておくことにより、使用者は、テープを所望の長さに引き出し、テープカッター刃で切断するという１回の作業で、所望の用途に応じたテープを作成することができる。
【００１２】
本発明によれば、ツマミを形成したうえで貼付後にツマミを除去したい場合、テープ切断時に自動的に形成されるミシン部に沿ってツマミを引きちぎることにより、ツマミを除去することができるので、ハサミやテープカッターを用意する必要がなく、また、ツマミを除去する際に対象物を傷つけることがない。
【図面の簡単な説明】
【００１３】
【図１】本発明の一実施の形態であるテープカッターの内部構造説明図である。
【図２】本発明の一実施の形態である固定用ボックス側板の正面図である。
【図３】本発明の一実施の形態であるコの字状リンクの正面図である。
【図４】図３に示すコの字状リンクの上面図である。
【図５】本発明の一実施の形態であるテープカッターの作動状態説明図であり、特にツマミ及びミシン目を形成するときの作動状態を示している。
【図６】本発明の一実施の形態であるテープカッターの作動状態説明図であり、特にツマミのみを形成するときの作動状態を示している。
【図７】本発明の一実施の形態であるテープカッターの作動状態説明図であり、特にツマミもミシン目も形成しないときの作動状態を示している。
【図８】図４に示す作動状態において作成されるツマミ及びミシン目付きテープの模式図である。
【図９】図８に示すテープを指先でツマミをつまんだ状態で粘着面を貼付対象物に貼り付けた状態の説明図である。
【図１０】図９に示すテープをミシン目に沿ってツマミを引きちぎることにより除去する様子を示した説明図である。
【図１１】本発明の一実施の形態であるテープカッターの試作品を斜め上方から撮影したものである。
【図１２】図１１に示すテープカッターを他の方向から撮影したものである。
【発明を実施するための形態】
【００１４】
図１は本発明の一実施の形態であるテープカッターの内部構造説明図である。本発明の一実施の形態であるテープカッター１は、机上に置いて使用するものである。テープカッター１は机の上に置かれる長方形状の底板１０と、底板１０を挟み込むようにして固定された２枚の側板１１、２０を有する。これらの底板１０、側板１１、２０により、セロハンテープ本体３０、第１リンクとしてのコの字状リンク４０や、第２リンクとしてのトの字状リンク６０などが組み込まれる収容スペースが形成される。以下、説明の便宜上、セロハンテープ本体３０が配置される側を「後側」、セロハンテープ本体３０から引き出されたセロハンテープが切断される刃が配置される側を「前側」と称することがある。
【００１５】
図２は本発明の一実施の形態である固定用ボックス側板の正面図である。側板１１にはコの字状リンク４０を揺動自在に支持するシャフト３１（図１参照）が挿入・固定される挿入孔１２と、トの字状リンク６０を揺動自在に支持するシャフト３２（図１参照）が挿入・固定される挿入孔１４が形成されている。
【００１６】
また、側板１１の中央下部には切替溝１３が形成されている。この切替溝１３は水平方向に伸びる溝が上下に３段階にわたって形成されており、上から順に、ツマミ・ミシン目作成用溝１３ａ、ツマミ作成用溝１３ｂ、カットのみ用溝１３ｃからなる。ツマミ・ミシン目作成用溝１３ａ、ツマミ作成用溝１３ｂ、カットのみ用溝１３ｃのそれぞれは水平方向に形成されるとともに、それぞれの溝１３ａ、１３ｂ、１３ｃに連通する縦溝１３ｄが垂直方向に形成されている。なお、側板２０にも、側板１１に形成されるものと同様の挿入孔や切替溝（図示しない）が同一の位置に形成されている。
【００１７】
図１に示されるとおり、この切替溝１３には切替シャフト３３が挿入されており、ツマミ・ミシン目作成用溝１３ａ、ツマミ作成用溝１３ｂ、カットのみ用溝１３ｃのいずれの溝に対しても、移動自在となっている。
【００１８】
図３は本発明の一実施の形態であるコの字状リンクの正面図であり、図４はその上面図である。第１リンクとしてのコの字状リンク４０は、セロハンテープ本体３０を挟み込むようにして配置される一対のコの字状本体部４１、５０を備えており、これらのコの字状本体部４１、５０は、テープの幅方向に配置されるテープ接着部４２とともに一体として形成されている。
【００１９】
コの字状本体部４１は、先端部に刃体稼動用溝４３と長手方向略中央部に軸受孔４４が形成された刃体支持部４１ａと、セロハンテープ本体３０を回転自在に支持するテープ取付部４１ｂと、刃体支持部４１ａとテープ取付部４１ｂとを連結するとともにテープ切断時には切替シャフト３３に当接する連結部４１ｃとにより構成される。コの字状本体部４１と対をなす、他方のコの字状本体部５０も同様の構成を有していることから、コの字状本体部５０については説明を省略する。
【００２０】
これらのコの字状本体部４１、５０は、セロハンテープ本体３０の両側に平行に配置される。テープ接着部４２には、ミシン目作成刃（図示しない）が組み込まれるスリット４５が設けられており、このスリット４５からミシン目作成刃（図示しない）が上方向に突出することができるようになっている。スリット４５の両側はセロハンテープ接着面４６ａ、４６ｂとなっている。
【００２１】
本実施の形態にあっては、セロハンテープ本体３０から遠い方のセロハンテープ接着面４６ａには、切込量調整部材４７が接合されている。この切込量調整部材４７は、テープ先端にツマミのみを形成したい場合（即ちミシン目を作成したくないような場合）において、スリット４５から突出するミシン目作成刃３６がテープに接触しないように、セロハンテープ接着面４６ａの高さを調整するものである（図１参照）。切込量調整部材４７が接合される場合には、切込量調整部材４７の上面（天面）がテープ接着面４６ａとして機能する。
【００２２】
軸受孔４４には、側板１１に形成された挿入孔１２に挿入・固定されるシャフト３４が揺動自在に挿入される。側板１１に対して平行に配置される側板２０にも、挿入孔１２と対向する位置に挿入孔（図示しない）が形成されている。すなわち、コの字状リンク４０は、側板１１、２０に対してシャフト３４を支点として揺動可能となっている。したがって、セロハンテープの端部をつかんで、その先端を前方に引き出すと、その際の張力によってセロハンテープ本体３０が上部に持ち上がり、コの字状リンク４０が、シャフト３４を支点として上方に持ち上げられる。
【００２３】
ここで、切替溝１３内に切替シャフト３３が挿入されている場合、コの字状リンク４０が持ち上がる範囲は、連結部４１ｃが切替シャフト３３に当接することにより制限される。すなわち、切替シャフト３３がツマミ・ミシン目作成用溝１３ａに挿入されている場合には、ツマミ・ミシン目作成用溝１３ａ内にある切替シャフト３３に対して連結部４１ｃが当接する位置までコの字状リンク４０は持ち上がることになる。前述のとおり、ツマミ・ミシン目作成用溝１３ａは他の溝１３ｂ、１３ｃよりも上側に形成されていることから、他の溝１３ｂ、１３ｃに切替シャフト３３が挿入されている場合よりも、コの字状リンク４０は、より大きく持ち上げられて、前方側に傾くことになる。
【００２４】
他方、切替シャフト３３がツマミ作成用溝１３ｂに挿入されている場合には、ツマミ作成用溝１３ｂ内にある切替シャフト３３に対して連結部４１ｃが当接する位置までコの字状リンク４０が持ち上げられるが、前述のとおり、ツマミ作成用溝１３ｂは、ツマミ・ミシン目作成用溝１３ａよりも下側に形成されていることから、ツマミ・ミシン目作成用溝１３ａ内に切替シャフト３３が挿入されている場合に比べて、傾きが小さくなる。
【００２５】
また、切替シャフト３３がカットのみ用溝１３ｃに挿入されている場合には、カットのみ用溝１３ｃ内にある切替シャフト３３に対して連結部４１ｃが当接する位置までコの字状リンクが持ち上げられる。前述のとおり、カットのみ用溝１３ｃは、他の溝１３ａ、１３ｂよりも下側に形成されていることから、コの字状リンク４０の傾きは最も小さい。本実施の形態にあっては、カットのみ用溝１３ｃは、連結部４１ｃの上面の高さ位置とほぼ同じ高さで水平方向に形成されていることから、セロハンテープを引き出しても、コの字状リンク４０の傾きはほぼ水平位置までに規制され、前側にはほぼ傾かない。
【００２６】
図１に示されるとおり、コの字状リンク４０の先端部の刃体稼動用溝４３には、刃体取付台３５が上下動（摺動）自在に取り付けられている。刃体取付台３５の上面にはミシン目作成刃３６が刃を上向き方向にして装着されており、刃体取付台３５が刃体稼働用溝４３の上端側に移動したときに、ミシン目作成刃３６がテープ接着部４２のスリット４５から出現するように組み付けられている。ミシン目作成刃３６は山型ノコギリ刃状になっており、セロハンテープに対してミシン目状の切り目を作成することができる。また、ミシン目作成刃３６は取り外し自在であり、テープの材質や厚みに応じて最適な刃に交換可能である。
【００２７】
第２リンクとしてのトの字状リンク６０は、短辺部６０ａと長辺部６０ｂからなる。短辺部６０ａは刃体取付リンク６３の一端に連結している。なお、刃体取付リンク６３の他端は、刃体取付台３５と連結している。前述のとおり、刃体取付台３５は刃体稼働用溝４３に沿って上下動自在に取り付けられていることから、トの字状リンク６０の動きに連動して、刃体取付台３５は上下動することになる。
【００２８】
長辺部６０ｂの上端側にはテープカット刃３７が装着され、下端側には接続リンク６５の一端が揺動自在に連結されている。接続リンク６５の他端はコの字状リンク４０の刃体支持部４１ａの下端側に揺動自在に連結されている。
【００２９】
長辺部６０ｂの接続リンク６５とのジョイント部のやや上側にはトの字状リンク６０を揺動自在に支持するシャフト３２が挿入される軸受孔６１が形成されている。すなわち、トの字状リンク６０は、側板１１、２０に対してシャフト３２を支点として揺動可能となっている。
【００３０】
次にトの字状リンク６０の動きを図５ないし図７を参照しながら説明する。図５ないし図７は本発明の一実施の形態であるテープカッターの作動状態説明図であり、特に、図５はツマミ及びミシン目を形成するときの作動状態を示しており、図６はツマミのみを形成するときの作動状態を示しており、図７はツマミもミシン目も形成しないときの作動状態を示している。
【００３１】
先ず、セロハンテープを引き出していない平常状態では、トの字状リンク６０の長辺部６０ｂは概ね垂直方向位置にある。そして、テープカット刃３７が装着された長辺部６０ｂの上端側はコの字状リンク４０の刃体支持部４１ａに接触している。
【００３２】
次に、セロハンテープを引き出すと、セロハンテープ本体３０は上方に引き上げられ、コの字状リンク４０がシャフト３４を支点として前側に傾き、接続リンク６５および刃体取付リンク６３の動きに連動して、トの字状リンク６０がシャフト３２を支点として前側に傾く。このときの傾きは、切替シャフト３３の位置により異なる。すなわち、切替シャフト３３がツマミ・ミシン目作成用溝１３ａに挿入されている場合には、コの字状リンク４０は、より大きく持ち上げられて、前方側に大きく傾くことになることから、これに連動して、トの字状リンク６０も前側に大きく傾く（図５参照）。このとき、トの字状リンク６０の長辺部６０ｂは刃体支持部４１ａより離れ、本実施の形態にあっては、側板１１、１２の外側にせり出す。
【００３３】
切替シャフト３３がツマミ作成用溝１３ｂに挿入されている場合には、コの字状リンク４０は、ツマミ・ミシン目作成用溝１３ａ内に切替シャフト３３が挿入されている場合に比べて、傾きが小さくなるため、トの字状リンク６０も前側に小さく傾く（図６参照）。また、切替シャフト３３がカットのみ用溝１３ｃに挿入されている場合には、コの字状リンク４０の傾きはほぼ水平位置までに規制され、前側にはほぼ傾かないことから、トの字状リンク６０も前側にはほぼ傾かない（図７参照）。
【００３４】
次に、引き出したセロハンテープをテープカット刃３７により切断すると、セロハンテープ本体３０を上側に持ち上げていた張力がなくなるため、セロハンテープ本体３０が下方に移動して、図１の状態に戻り、この動きに連動して、トの字状リンク６０の長辺部６０ｂは概ね垂直方向位置に復帰し、トの字状リンク６０の長辺部６０ｂは再びコの字状リンク４０の刃体支持部４１ａと接触する。
【００３５】
ここで、テープカット刃３７について説明する。テープカット刃３７は、平部３７ａと刃先部３７ｂとを有する。テープカット刃３７は、刃先部３７ｂを前方下側に向けて装着されている。セロハンテープの切断は刃先部３７ｂにて行われるが、その刃先部３７ｂが前方下側に向けて装着されているため、引き出したセロハンテープを刃先部３７ｂに向けて下降させて切断すると、セロハンテープ本体３０側のセロハンテープ先端は平部３７ａに接着する。すなわち、切断後のセロハンテープ先端は、平部３７ａに接着した状態となる。
【００３６】
上述の構成を有するテープカッターの動作について以下に説明する。
【００３７】
第１に、切断後のセロハンテープの先端にツマミを形成したうえで、対象物への貼付後にはツマミを除去したい場合について、図１および図５に基づいて説明する。
【００３８】
先ず、セロハンテープ本体３０からセロハンテープを引き出す前に、切替シャフト３３の位置をツマミ・ミシン目作成溝１３ａに移動させる。そのうえで、セロハンテープを斜め前方上部に引き出す。そうすると、その引き出し力（張力）によって、先に述べたとおり、コの字状リンク４０及びトの字状リンク６０が前側に大きく傾き、トの字状リンク６０の長辺部６０ｂは刃体支持部４１ａから大きく離れる。このとき、コの字状リンク４０及びトの字状リンク６０の動きに連動して、刃体取付台３５が上側に移動し、刃体取付台３５のミシン目作成刃３６がスリット４５から突出して出現する。セロハンテープを前側上方に向けて所望の長さだけ引き出してから、そのセロハンテープをテープカット刃３７方向に下降させる。そうすると、セロハンテープ本体３０側のセロハンテープ先端が平部３７ａに接着し、セロハンテープ中腹部がセロハンテープ接着面４６ａ、４６ｂに接着した状態で、セロハンテープは所望の長さで切断される。このとき、セロハンテープの中腹部には上昇したミシン目作成刃３６が刺さるため、ミシン目状の切欠きが形成される。
【００３９】
セロハンテープが切断されることにより、張力が無くなりセロハンテープ本体が元の位置に戻る動きと連動して、トの字状リンク６０の長辺部６０ｂがコの字状リンク４０の刃体支持部４１ａと接触する位置まで戻る。このとき、セロハンテープ先端が平部３７ａに接着し、セロハンテープ中腹部がセロハンテープ接着面４６ｂおよび切込量調整部材４７上面のセロハンテープ接着面４６ａに接着した状態のままで、トの字状リンク６０の長辺部６０ｂがコの字状リンク４０の刃体支持部４１ａと接触する位置まで移動することになるため、切込量調整部材４７と平部３７ａとの間にセロハンテープのループ３０ａが形成される。次回、セロハンテープを引き出して切断する際には、このループ３０ａをつまんで引き出すことにより、ループ３０ａ内面が相互に接着することにより、ツマミ部が形成される。このツマミ部の根本付近には、ミシン目状の切欠きが形成されている。テープカッター上には先端にループ状のツマミ部があり、その後ろにミシン目３０ｃがある状態のセロハンテープが残ることになる．
【００４０】
図８は図５に示す作動状態において作成されるツマミ及びミシン目付きテープの模式図であり、図９は指先でツマミをつまんだ状態で粘着面を貼付対象物に貼り付けた様子を示し、図１０は、その後、ミシン目に沿ってツマミを引きちぎることにより除去する様子を示したものである。ツマミ部をつまんで、前述のような作業を繰り返すことで、ツマミ・ミシン目付のセロハンテープを作成することができ、そのテープを所定の場所に粘着させた後に、ツマミ３０ｂをミシン目３０ｃに沿って、引きちぎることにより、容易にツマミ３０ｂを取り除くことができる。
【００４１】
本発明によれば、ツマミを形成したうえで貼付後にツマミ３０ｂを除去したい場合、テープ切断時に自動的に形成されるミシン目状の切欠きに沿ってツマミ３０ｂを引きちぎることにより、ツマミ３０ｂを除去することができるので、ハサミやテープカッターを別途用意する必要がなく、また、ミシン目３０ｃに沿ってツマミ３０ｂを除去することができるので、対象物を傷つけることがない。
【００４２】
第２に、ツマミのみを作成してセロハンテープを切断する場合の動作を図６に基づいて説明する。切替シャフト３３を切替溝１３の中段、ツマミ作成用溝に合わせることで、セロハンテープを前方上部に引き出した際にコの字状リンク４０およびトの字状リンク６０が前方に傾く。しかし、ツマミ・ミシン目作成時と異なり刃体取付台３５は上昇しない程度の傾きとなっている。そのため、刃体取付台３５のミシン目作成刃３６は、スリット４５から突出しない。この状態で、セロハンテープを前側上方に向けて所望の長さだけ引き出してから、そのセロハンテープをテープカット刃３７方向に下降させる。そうすると、セロハンテープ本体３０側のセロハンテープ先端がテープカット刃３７の平部３７ａに接着し、セロハンテープ中腹部がセロハンテープ接着面４６ｂおよび切込量調整部材４７に接着した状態で、セロハンテープは所望の長さで切断されるが、セロハンテープの中腹部にはミシン目作成刃３６が刺さらないため、ミシン目状の切欠きは形成されない。なお、図示する場合にあっては、切込量調整部材４７が設けられることにより、ミシン目作成刃３６との接触が確実に回避されるようになっている。
【００４３】
セロハンテープが切断されることにより、張力が無くなりセロハンテープ本体３０が元の位置に戻る動きと連動して、トの字状リンク６０の長辺部６０ｂがコの字状リンク４０の刃体支持部４１ａと接触する位置まで戻る。このとき、セロハンテープ先端が平部３７ａに接着し、セロハンテープ中腹部がセロハンテープ接着面４６ｂおよび切込量調整部材４７に接着した状態のままで、トの字状リンク６０の長辺部６０ｂがコの字状リンク４０の刃体支持部４１ａと接触する位置まで移動することになるため、切込量調整部材４７と平部３７ａとの間にセロハンテープのループ（図１参照）が形成される。次回、セロハンテープを引き出して切断する際には、このループをつまんで引き出すことにより、ループ内面が相互に接着することにより、ツマミ部が形成される。
【００４４】
この状態で、次に使用する際には、ループをつまんでセロハンテープを引き出して切断すれば、ツマミ付のセロハンテープが作成できる。これにより、ツマミを形成したうえで貼付後にツマミを除去せずに使用したい場合に対応することができる。
【００４５】
第３に、ミシン目もツマミも作成しない場合の動作を図７に基づいて説明する。この場合、切替シャフト３３を切替溝１３の最下段にあるカットのみ用溝１３ｃに合わせることで、コの字状リンク４０の傾きはほぼ水平位置までに規制され、前側にはほぼ傾かないことから、トの字状リンク６０も前側にはほぼ傾かない。そのため、トの字状リンク６０の長辺部６０ｂは刃体支持部４１ａに接触した状態のままである。
【００４６】
この状態では、セロハンテープはテープカット刃３７にて切断されるのみとなる。切断後のセロハンテープは、平部３７ａ、セロハンテープ接着面４６ｂ、および切込量調整部材４７に粘着し、次のテープ引出しを待つ。これにより、ツマミを形成することなくテープを使用したい場合に、ツマミもミシン目も作成することなくテープを利用したい場合に対応することができる。
【００４７】
以上説明した実施の形態においては、切込量調整部材４７を設けているが、テープカット刃３７やミシン目作成刃３６の取付け高さなどの設計事項を調整することにより、切込量調整部材４７を不要とすることも可能である。
【産業上の利用可能性】
【００４８】
図１１および図１２は本発明の一実施の形態であるテープカッターの試作品を斜め上方から撮影したものである。本発明の実現可能性および発明の効果は実証済みである。
【符号の説明】
【００４９】
１  テープカッター
１０  底板
１１  側板
１２  挿入孔
１３  切替溝
１３ａ  ツマミ・ミシン目作成用溝
１３ｂ  ツマミ作成用溝
１３ｃ  カットのみ用溝
１３ｄ  縦溝
１４  挿入孔
２０  側板
３０  セロハンテープ本体
３０ａ  ループ
３０ｂ  ツマミ
３０ｃ  ミシン目
３１  シャフト
３２  シャフト（トの字状リンク）
３３  切替シャフト
３４  シャフト（コの字状リンク）
３５  刃体取付台
３６  ミシン目作成刃
３７  テープカット刃
３７ａ  平部
３７ｂ  刃先部
４０  コの字状リンク
４１  コの字状本体部
４１ａ  刃体支持部
４１ｂ  テープ取付部
４１ｃ  連結部
４２  テープ接着部
４３  刃体稼働用溝
４４  軸受孔
４５  スリット
４６ａ  セロハンテープ接着面
４６ｂ  セロハンテープ接着面
４７  切込量調整部材
４８  軸受孔
５０  コの字状本体部
６０  トの字状リンク
６０ａ  短辺部
６０ｂ  長辺部
６１  軸受孔
６３  刃体取付リンク
６５  接続リンク
【要約】
【課題】本発明は，ツマミを形成することなくテープを使用したい場合，ツマミを形成したうえで貼付後にツマミを除去せずに使用したい場合，ツマミを形成したうえで貼付後にツマミを除去したい場合のいずれの用途にも対応することが可能なテープカッターを開示することを目的とする。
【解決手段】切替シャフト３３がツマミ・ミシン目作成用溝１３ａに挿入されている場合において，ツマミ・ミシン目作成用溝１３ａ内にある切替シャフト３３に対して第１リンク４０の連結部４０ｃが当接する位置まで第１リンク４０が持ち上げられたとき，第２リンク６０の長辺部６０ｂは刃体支持部４１ａから離れるとともに，刃体取付台３５が上側に移動して，ミシン目作成刃３６がセロハンテープに突き刺さる位置まで突出して出現することを特徴とする。
【選択図】図１【図１】
0005887611.tif 000002
【図２】
0005887611.tif 000003
【図３】
0005887611.tif 000004
【図４】
0005887611.tif 000005
【図５】
0005887611.tif 000006
【図６】
0005887611.tif 000007
【図７】
0005887611.tif 000008
【図８】
0005887611.tif 000009
【図９】
0005887611.tif 000010
【図１０】
0005887611.tif 000011
【図１１】
0005887611.tif 000012
【図１２】
0005887611.tif 000013